(57)【要約】【課題】  例えば眼科手術に用いるドレープとして、手術野である開孔６２をＵ字や丸く取り囲む受液ポケットを備えたものが提案されている。しかし額や頬側のポケット入口等は良好に開かず、この額／頬方向等に流れた洗浄液等はポケット外側に出て床に落ちる虞があった。そこで本発明は、洗浄液等を良好に捕集できる手術用ドレープを提供することを目的とする。【解決手段】  患者被覆シート１１上に、補助シート１２を添着した手術用ドレープ１０である。被覆シート１１の表側面に取り付けられた粘着テープ１５に、補助シート１２を手繰らせて貼り付け、受液ポケット方向に沿った土手２１を形成する。額側や頬側に流れ出た洗浄液等は土手２１に沿ってこめかみの受液ポケット１７に導かれる。【選択図】      図２
2005204780.tif 000002
【特許請求の範囲】
【請求項１】
手術野に対応した開孔を有する患者被覆シート上に、前記手術野に対応した開孔と受液ポケットを有する補助シートを添着した手術用ドレープにおいて、
前記被覆シートと前記補助シートのいずれか一方に、少なくとも前記開孔を挟む両側であって受液ポケット方向に沿った粘着または接合部材が設けられたものであることを特徴とする手術用ドレープ。
【請求項２】
前記被覆シートと前記補助シートが前記開孔同士を取り囲む部分で添着されたものである請求項１に記載の手術用ドレープ。
【請求項３】
前記粘着または接合部材が帯状に形成されたものである請求項１または２に記載の手術用ドレープ。
【請求項４】
前記粘着部材は離型テープで保護されたものである請求項１〜３のいずれかに記載の手術用ドレープ。
【発明の詳細な説明】
【技術分野】
【０００１】
本発明は、外科手術の際に用いられる受液ポケット付きの手術用ドレープに関するものである。
【背景技術】
【０００２】
外科手術に際しては、手術野を無菌状態に保つ目的で手術野以外の身体表面をドレープで覆うことが一般に行われている。このドレープにはしばしば受液ポケット付きのものが用いられ、流れ出た体液や洗浄液をこの受液ポケットに捕集する様になっている。
【０００３】
図６は、受液ポケット付きドレープ６０の使用の様子を表す斜視図であり、眼科手術の場合を示している。ドレープ６０には開孔６２が形成されており、この開孔６２を、手術野である目６１の位置に合わせて貼り付けて用いる。また、洗浄液等は顔の傾斜によって専ら目尻６１ａの方向へ流れることから、受液ポケット６３はこめかみ付近に位置させる。
【０００４】
ところで殊に顔面の手術においては、患者が恐怖感から顎を上げる（或いは下げる）等して徐々に顔の角度を変えることがある。すると額側や頬側に洗浄液等が流れ、こめかみに位置する受液ポケット６３では捕らえきれず、床に落ちることがある。そこで図７に示すドレープ６５，６７の如く、開孔６２をＵ字状に囲む様にした受液ポケット６４や（図７の（ａ））、開孔６２の周り全体を丸く囲んだ受液ポケット６６が提案されている（図７の（ｂ））（例えば、特許文献１参照）。
【特許文献１】実公平３−１３２９５号公報（第１図，第２図）
【発明の開示】
【発明が解決しようとする課題】
【０００５】
しかし上記の如く開孔６２をＵ字状や丸く取り囲む受液ポケット６４，６６としても、このポケット入口６４ａ，６６ａが上手く開かないことが多い。つまり仰向け状態のとき、目の上下や目頭部分の顔の形としては、一旦水平或いは上に膨らんでから下降するという形状であり、ポケット入口６４ａ，６６ａは上記水平或いは上に膨らむ箇所に位置することから、上手く開かず、洗浄液等がポケット６４，６６を超えて外側に出る虞がある。そこで上手く開けるために、ポケット入口６４ａ，６６ａの全体にアルミニウム製リボン等の開口補助部材を設けたものが提案されているが（例えば特許文献１）、コスト高を招く。またポケット入口６４ａ，６６ａを上記下降する箇所に位置させれば、図７に示すドレープ６５，６７のポケット入口よりも良く開くと考えられるものの、この場合には大きな受液ポケットにしなければならず、実用的でない。
【０００６】
そこで本発明においては、たとえ患者が顔や身体の角度を変えても流れ出た洗浄液等を受液ポケットに良好に捕集できる手術用ドレープを提供することを目的とする。
【課題を解決するための手段】
【０００７】
本発明に係る手術用ドレープは、手術野に対応した開孔を有する患者被覆シート上に、前記手術野に対応した開孔と受液ポケットを有する補助シートを添着した手術用ドレープであって、前記被覆シートと前記補助シートのいずれか一方に、少なくとも前記開孔を挟む両側であって受液ポケット方向に沿った粘着または接合部材が設けられたものであることを特徴とする。尚本出願において「シート」と称する場合にはフィルムを含み、「フィルム」と称する場合にはシートを含むものであって、これらに格段の区別はない。
【０００８】
この手術用ドレープの使用にあたっては、上記補助シートを手繰らせて土手の形を作り、この補助シートの土手の裾野部分を上記粘着或いは接合部材によって前記被覆シートに粘着或いは接合し、受液ポケット方向に沿った土手を形成する。洗浄液等はこの土手に沿って流れ、受液ポケットに捕集されることとなる。
【０００９】
上述の様に従来では開孔を囲む様に受液ポケットを設けることによって洗浄液等を捕集するものであったが、本発明者らはこの発想を転換し、土手を形成することで、所定の位置に設けられた受液ポケットに洗浄液等を導く様にしたものである。これにより洗浄液等を良好に捕集することができる。また粘着または接合部材は安価であるので、あまりコストを引き上げることにはならない。
【００１０】
ところで予め土手を形成した状態の手術用ドレープとして施術者（使用者）に提供すれば、施術者は土手形成の為の粘着或いは接合の手間が省ける。しかし、施術者によって土手の高さや位置，範囲等の好みは様々であり、殊に微妙な操作が要求される眼科手術においては、土手の少しの違いで操作性の低下を招く懸念がある。
【００１１】
この点において本発明では、上述の様に粘着または接合部材によって被覆シートに補助シートを適宜取り付ける構成であるから、施術者自身（或いはその補助者）が好みに合わせて土手を形成することができる。また場合によっては、土手を全く形成せずに手術用ドレープを使用することも可能であり、施術者の操作性を損ねる懸念が殆どない。
【００１２】
さて土手を形成するには、土手の左右の裾野部分２箇所で留める必要があるが、一方の裾野部分を予め留めておけば、土手形成の手間が軽減される。そして左右の裾野部分のうち開孔側を留めて外側を適宜留める構成とした方が、土手の高さ（補助シートを手繰る量）等の自由度が高く、また土手の形成操作も簡単で、好ましい。殊に前記被覆シートと前記補助シートが前記開孔同士を取り囲む部分で添着されたものであれば、手術野となる両開孔の位置設定も簡単となる。
【００１３】
上記粘着または接合部材としては、両面粘着テープや一対の面ファスナー等が挙げられる。前記粘着部材の場合に、この粘着部材を離型テープで保護されたものとすることにより、手術用ドレープの取扱性が良くなる。
【００１４】
また前記粘着または接合部材の形としては、受液ポケット方向に沿った部分を有すればいずれの形状でも良く、帯状の他、平面状に広いもの等でも良い。前記粘着または接合部材が帯状に形成されたものであれば、粘着／接合にあたって土手の方向に注意せずとも、この帯に従って粘着または接合すれば自然に受液ポケットに向かった土手を形成することができ、土手形成操作が簡便である。一方前記粘着または接合部材が平面状に広いものであれば、土手の形を自由に形成でき、より施術者の好みにあった土手にすることができる。
【発明の効果】
【００１５】
本発明に係る手術用ドレープによれば、使用者（施術者やその補助者）が土手を形成でき、洗浄液等はこの土手に導かれて受液ポケットに良好に捕集されることとなり、洗浄液等が床等にこぼれる虞が低減する。しかもこの土手の形成は施術者の任意であり、また土手の高さ等も任意に設定できるので、施術者の好みによって使用し易い様に形成できる。
【発明を実施するための最良の形態】
【００１６】
＜実施形態１＞
図１は本発明の実施形態１に係る手術用ドレープ１０を示す平面図であり、図２はこの手術用ドレープ１０の使用状態を示す斜視図で、眼科手術に用いる様子を表している。また図３は図１に示すＡ−Ａ線における拡大断面図である。但し図３における開孔６２の右側部分は、土手を形成した状態を表している。
【００１７】
この手術用ドレープ１０は患者被覆シート１１の表側面に補助シート１２を設けたものである。これらシート１１，１２には手術野に対応した開孔６２ａ，６２ｂが設けられており、該開孔６２ａ，６２ｂ同士を合わせる様に位置させ、開孔６２ａ，６２ｂの周囲を熱融着により接着したものとなっている（接着箇所１９）（尚、両面粘着テープを用いて接着箇所１９を接着する様にしても良い）。また補助シート１２の表側面には粘着フィルム１４が取り付けられており、この粘着フィルム１４に設けられた開孔６２ｃは、上記被覆シート１１，補助シート１２の開孔６２ａ，６２ｂよりも小さく、この開孔６２ａ，６２ｂから内側にはみ出た粘着フィルム１４の肌側面１４ａを患者に貼り付けて用いる様になっている。尚貼り付け前においては、粘着フィルム１４の肌側面１４ａは離型フィルム１３によって覆われている（図３に二点鎖線で示す）。
【００１８】
また補助シート１２には受液ポケット１７が形成されている。この受液ポケット１７は補助シート１２の裾部分を折り返して両側（側辺接着部１７ｂ）を熱融着により接着したものであって、眼科手術の使用時に患者のこめかみに位置する様に設けられている。この受液ポケット１７にはポケット入口１７ａに沿って棒状の保形部材１８が取り付けられている。この保形部材１８は塑性変形可能であり、これを湾曲させる等してポケット入口１７ａを開口状態に保持できる様になっている。
【００１９】
被覆シート１１と補助シート１２の間における被覆シート１１の表側面には、長尺（帯状）の両面粘着テープ（粘着部材）１５が、開孔６２の両側にポケット１７方向に沿って（ポケット入口１７ａに向かって）取り付けられている（図１，３）。使用前の状態ではこの粘着テープ１５の表側面が離型テープ１６で保護され、対向する補助シート１２に貼り付かない様になっている（図３における左側参照）。
【００２０】
尚被覆シート１１の材料としては、撥水性もしくは疎水性の不織布或いは合成樹脂製フィルムが挙げられる。また補助シート１２としては、ポケット１７部分が良好に液を貯留できる様に、ポリエチレンやポリプロピレン等のオレフィン樹脂製フィルム、或いはこれらの積層フィルム等を用いるのが良い。
【００２１】
次にこの手術用ドレープ１０の使用態様について述べる。
【００２２】
先ず離型フィルム１３を剥がし、粘着フィルム１４の肌側面１４ａを患者の術野周り（目６１の周り）に貼り付ける。このとき受液ポケット１７を患者のこめかみ側に、２本の粘着テープ１５を目６１の上下に位置する様にする。次いで離型テープ１６を剥がし、補助シート１２を手繰って山形を作りつつ（土手２１の形を作る）、この山（土手）の裾野部分を粘着テープ１５に貼り付けて土手２１を形成する（図３における右側参照、図２）。
【００２３】
この様に土手２１を形成したドレープ１０によれば、患者が顔の角度を多少変えても、流れ出た洗浄液等は土手２１に阻まれて額側や頬側に行かず、この土手２１に沿って受液ポケット１７に導かれる。従って殆ど床に落ちることがない。
【００２４】
また本実施形態１のドレープ１０は、土手２１の高さを施術者の好みによって設定でき、場合によっては土手２１の一方或いは両方を形成しない様にしても良く、従って施術者の手技の妨げとなることもない。
【００２５】
＜実施形態２＞
図４は本発明の実施形態２に係る手術用ドレープ２０を示す平面図であり、図５は図４に示すＢ−Ｂ線における拡大断面図である。但し図５における開孔６２の右側部分は、土手２１を形成した状態を表している。尚図中、図１〜３と同じ構成部分については同一の符号を付して重複説明を避ける。
【００２６】
本実施形態２では補助シート２２が、開孔６２ｂを有する第１の補助シート２３と、受液ポケット１７を有する第２の補助シート２４との２つに分けられている。また被覆シート１１と第１の補助シート２３の間における被覆シート１１の表側面には、開孔６２ａ，６２ｂ周囲の接着箇所１９を取り囲む様に両面粘着フィルム（粘着部材）２５が配されている。尚ドレープ２０の使用前の状態では、この粘着フィルム２５の表側面が離型フィルム２６で保護され（離型フィルム２６には、剥がし易い様に切れ目が入れられている）、対向する第１の補助シート２３に貼り付かない様になっている（図５における左側参照）。また第１の補助シート２３は、手繰らせる分を勘案して、粘着フィルム２５が配された範囲よりも大きいものとなっている。
【００２７】
尚第１の補助シート２３の材料としては、撥水性もしくは疎水性の不織布或いは合成樹脂製フィルムが挙げられ、第２の補助シート２４の材料としては、ポリエチレンやポリプロピレン等のオレフィン樹脂製フィルム、或いはこれらの積層フィルム等が挙げられる。
【００２８】
本実施形態２の手術用ドレープ２０では、実施形態１と異なって幅広の粘着フィルム２５が用いられているから、土手２１を真っ直ぐに形成するだけでなく、例えば弧状に形成することも可能であり、土手２１の形成の自由度が増す。また目頭側にも粘着フィルム２５が存在するので、目頭側に土手２１を形成することもできる。
【００２９】
この実施形態２のドレープ２０も実施形態１と同様に、患者が顔の角度を多少変えても、流れ出た洗浄液等は土手２１によって受液ポケット１７に良好に導くことができ、殆ど床にこぼさない様にできる。
【００３０】
以上、本発明に係る手術用ドレープに関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００３１】
例えば上記実施形態では、土手２１を形成するにあたり粘着テープ１５や粘着フィルム２５を用いたが、これに限るものではなく、一対の面ファスナーにより患者被覆シートと補助シートを接合する様にしても良い（例えば鈎型係合部材を患者被覆シートの表側面に、ループ型係合部材を補助シートの肌側面に設ける）。
【００３２】
加えて上記実施形態では被覆シート１１に粘着テープ１５等の粘着／接合部材を設ける構成のものを示したが、補助シートの肌側面に粘着／接合部材を設ける構成としても良い。
【００３３】
また上記実施形態では眼科手術に用いる場合を例に挙げたが、これに限らず、各種手術に本発明の手術用ドレープを用いることができる。
【図面の簡単な説明】
【００３４】
【図１】本発明の実施形態１に係る手術用ドレープを示す平面図である。
【図２】実施形態１の手術用ドレープの使用状態を示す斜視図である。
【図３】図３は図１に示すＡ−Ａ線における拡大断面図である。
【図４】本発明の実施形態２に係る手術用ドレープを示す平面図である。
【図５】図４に示すＢ−Ｂ線における拡大断面図である。
【図６】従来の受液ポケット付きドレープ（その１）における使用の様子を表す斜視図である。
【図７】（ａ）は従来の受液ポケット付きドレープ（その２）の使用の様子を表す斜視図で、（ｂ）は従来の受液ポケット付きドレープ（その３）の使用の様子を表す斜視図である。
【符号の説明】
【００３５】
１０，２０  手術用ドレープ
１１  患者被覆シート
１２，２２  補助シート
１３  離型フィルム
１４  粘着フィルム
１５  両面粘着テープ（粘着部材）
１６  離型テープ
１７  受液ポケット
１７ａ  ポケット入口
１８  保形部材
２１  土手
２３  第１の補助シート
２４  第２の補助シート
２５  両面粘着フィルム（粘着部材）
６２  開孔
【図１】
2005204780.tif 000003
【図２】
2005204780.tif 000004
【図３】
2005204780.tif 000005
【図４】
2005204780.tif 000006
【図５】
2005204780.tif 000007
【図６】
2005204780.tif 000008
【図７】
2005204780.tif 000009